(57)【要約】【課題】  電力取引者がマイナーとして参加する許可型のＢＣＮにおける、マイナーの参加意欲を高める。【解決手段】  一実施形態に係る電力取引管理装置は、電力取引者との電力取引を実行し、当該電力取引に関する情報を、前記電力取引者が所持するマイニング端末により構成される許可型のブロックチェーンネットワークに送信する電力取引部と、前記電力取引に関する情報を含むブロックチェーンを、前記ブロックチェーンネットワークから取得するブロックチェーン取得部と、前記ブロックチェーンに基づいて、前記電力取引者に付与する報酬を算出する報酬算出部と、前記報酬を前記電力取引者に付与する報酬付与部と、を備える。【選択図】  図３
2019185412.tif 000002
【特許請求の範囲】
【請求項１】
電力取引者との電力取引を実行し、当該電力取引に関する情報を、前記電力取引者が所持するマイニング端末により構成される許可型のブロックチェーンネットワークに送信する電力取引部と、
前記電力取引に関する情報を含むブロックチェーンを、前記ブロックチェーンネットワークから取得するブロックチェーン取得部と、
前記ブロックチェーンに基づいて、前記電力取引者に付与する報酬を算出する報酬算出部と、
前記報酬を前記電力取引者に付与する報酬付与部と、
を備える電力取引管理装置。
【請求項２】
電力取引者同士が実行した電力取引に関する情報を、前記電力取引者が所持するマイニング端末により構成される許可型のブロックチェーンネットワークに送信する電力取引部と、
前記電力取引に関する情報を含むブロックチェーンを、前記ブロックチェーンネットワークから取得するブロックチェーン取得部と、
前記ブロックチェーンに基づいて、前記電力取引者に付与する報酬を算出する報酬算出部と、
前記報酬を前記電力取引者に付与する報酬付与部と、
を備える電力取引管理装置。
【請求項３】
前記電力取引部は、前記電力取引者と前記電力取引を実行し、
前記報酬算出部は、前記電力取引者の売買電力量に基づいて、前記報酬を算出する
請求項１又は請求項２に記載の電力取引管理装置。
【請求項４】
前記報酬算出部は、前記売買電力量が多いほど大きくなるように、前記報酬を算出する
請求項３に記載の電力取引管理装置。
【請求項５】
前記報酬算出部は、売電量より買電量に大きな重みを付けて、前記報酬を算出する
請求項４に記載の電力取引管理装置。
【請求項６】
前記報酬算出部は、前記電力取引者の全体に対する需要者の比率と、前記電力取引者の前記売買電力量における前記売電量の比率と、の少なくとも一方に基づいて、前記報酬を算出する
請求項４又は請求項５に記載の電力取引管理装置。
【請求項７】
前記電力取引部は、前記電力取引者に需給調整を要求し、
前記報酬算出部は、前記要求に応じた前記電力取引者の需給調整量に基づいて、前記報酬を算出する
請求項１から請求項６までのいずれか１項に記載の電力取引管理装置。
【請求項８】
前記報酬算出部は、前記電力取引者の前記需給調整量が多いほど大きくなるように、前記報酬を算出する
請求項７に記載の電力取引管理装置。
【請求項９】
前記報酬算出部は、前記マイニング端末のマイナー情報に基づいて、前記報酬を算出する
請求項１から請求項８までのいずれか１項に記載の電力取引管理装置。
【請求項１０】
前記マイナー情報は、前記マイニング端末の計算機能力及び稼働時間の少なくとも一方を含む
請求項９に記載の電力取引管理装置。
【請求項１１】
電力取引者との電力取引を実行する電力取引ステップと、
前記電力取引に関する情報を含むブロックチェーンを、前記電力取引者が所持するマイニング端末３により構成される許可型のブロックチェーンネットワークから取得するブロックチェーン取得ステップと、
前記ブロックチェーンに基づいて、前記電力取引者に付与する報酬を算出する報酬算出ステップと、
前記報酬を前記電力取引者に付与する報酬付与ステップと、
を備える電力取引管理方法。
【請求項１２】
電力取引者との電力取引を実行する電力取引ステップと、
前記電力取引に関する情報を含むブロックチェーンを、前記電力取引者が所持するマイニング端末により構成される許可型のブロックチェーンネットワークから取得するブロックチェーン取得ステップと、
前記ブロックチェーンに基づいて、前記電力取引者に付与する報酬を算出する報酬算出ステップと、
前記報酬を前記電力取引者に付与する報酬付与ステップと、
を備える電力取引管理方法をコンピュータに実行させるためのプログラム。
【発明の詳細な説明】
【技術分野】
【０００１】
本発明は、電力取引管理装置、方法、及びプログラムに関する。
【背景技術】
【０００２】
従来、分散型台帳技術を利用したデータの管理方法が研究されている。分散型台帳技術の１つとして、ブロックチェーン技術が知られている。ブロックチェーン技術では、ブロックチェーンネットワーク（以下「ＢＣＮ」という。）を構成する各マイナー（ノード）が同一のブロックチェーンを記録することにより、データの改竄を防ぎつつ、安全にデータを保管することができる。ブロックチェーンは、複数のデータを含むブロックが、鎖状に連結されたデータである。マイナーが所定時間毎に新たなブロックを生成し、当該ブロックを既存のブロックチェーンに連結することにより、ブロックチェーンは更新される。近年、このブロックチェーン技術を利用して、電力取引に関する情報（以下「電力取引情報」という。）を管理することが提案されている。
【０００３】
ＢＣＮには、パブリック型のＢＣＮと、許可型のＢＣＮと、の２種類がある。パブリック型のＢＣＮは、ビットコインのように、管理者が存在せず、誰でもマイナーとして参加可能なＢＣＮである。これに対して、許可型のＢＣＮは、管理者により許可されたマイナーのみが参加可能なＢＣＮである。許可型のＢＣＮには、単一の管理者が存在するプライベート型のＢＣＮと、複数の共同管理者が存在するコンソーシアム型のＢＣＮと、が含まれる。また、近年、電力を個人間で融通するシステム構築にＢＣＮを利用する実証試験が多く実施されており、コモデティである電力を融通させるシステム構築には持続性のある技術を利用すべきという機運が高まっている。
【先行技術文献】
【非特許文献】
【０００４】
【非特許文献１】https://bitcoin.org/bitcoin.pdf
【発明の概要】
【発明が解決しようとする課題】
【０００５】
許可型のＢＣＮでは、一般に、管理者により許可された事業者がＢＣＮの維持管理（パブリック型でいうマイニング）を行う。以下、ＢＣＮの維持管理を行う事業者をマイナー、ＢＣＮの維持管理をマイニングと表記する。許可型のＢＣＮにおいては、マイニング報酬といった概念が存在せず、ＢＣＮを利用したユーザが支払う手数料の一部が、マイナーに報酬として支払われる場合が多い。したがって、許可型のＢＣＮでは、ＢＣＮが多くのユーザに使用されない限り、マイナーへの報酬は減少し、マイナーがそのＢＣＮを維持管理する意義が消滅する。また、許可型のＢＣＮは、一般に、パブリック型のＢＣＮに比べて、参加するマイナーがもともと少ないため、わずかなマイナーの減少でも、ブロックチェーンの安全性が低下するおそれがある。
【０００６】
本発明は、上記の課題に鑑みてなされたものであり、電力取引者がマイナーとして参加する許可型のＢＣＮにおける、マイナーの参加意欲を高めることを目的とする。
【課題を解決するための手段】
【０００７】
一実施形態に係る電力取引管理装置は、電力取引者との電力取引を実行し、当該電力取引に関する情報を、前記電力取引者が所持するマイニング端末により構成される許可型のブロックチェーンネットワークに送信する電力取引部と、前記電力取引に関する情報を含むブロックチェーンを、前記ブロックチェーンネットワークから取得するブロックチェーン取得部と、前記ブロックチェーンに基づいて、前記電力取引者に付与する報酬を算出する報酬算出部と、前記報酬を前記電力取引者に付与する報酬付与部と、を備える。
【発明の効果】
【０００８】
本発明の各実施形態によれば、電力取引者がマイナーとして参加する許可型のＢＣＮにおける、マイナーの参加意欲を高めることができる。
【図面の簡単な説明】
【０００９】
【図１】ブロックチェーンネットワークの構成の一例を示す図。
【図２】電力取引管理装置のハードウェア構成の一例を示す図。
【図３】電力取引管理装置の機能構成の一例を示す図。
【図４】マイナー情報の一例を示す図。
【図５】電力取引管理装置の動作の一例を示すフローチャート。
【発明を実施するための形態】
【００１０】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１１】
一実施形態に係る電力取引管理システム１００について、図１〜図５を参照して説明する。まず、本実施形態に係る電力取引管理システム１００の構成について説明する。図１は、電力取引管理システム１００の構成の一例を示す図である。図１の電力取引管理システム１００は、ネットワークを介して接続された電力取引管理装置１（以下「管理装置１」という。）と、ＢＣＮ２と、を備える。
【００１２】
管理装置１は、電力取引を管理するコンピュータである。管理装置１が管理する電力取引は、管理装置１のユーザである電力取引者Ｕと、電力取引者Ｕと電力取引を行う複数の電力取引者Ｄと、の間の電力取引であってもよいし、電力取引者Ｄ同士の電力取引（いわゆるピアツーピア取引）であってもよい。以下では、電力取引が電力取引者Ｕと電力取引者Ｄとの間で行われる場合を例に説明する。図１では省略されているが、電力取引者Ｕ及び電力取引者Ｄは、それぞれ蓄電装置や発電装置などの電力設備を備え、互いの電力設備を介して電力取引を行う。電力取引者Ｕは、電力会社又はアグリゲータであるが、これに限られない。また、電力取引者Ｄは、需要者、プロシューマ、発電事業者、又はアグリゲータである。電力取引者Ｄは、個人、法人、又はその他の団体である。管理装置１は、サーバコンピュータ、ＰＣ（Personal Computer）、又はスマートフォンであるが、これに限られない。管理装置１は、ネットワークを介して接続された複数のコンピュータにより構成されてもよい。
【００１３】
また、管理装置１は、ＢＣＮ２の管理者として機能し、ＢＣＮ２へのマイナーの参加を許可する。ＢＣＮ２がコンソーシアム型のＢＣＮである場合には、管理装置１の機能は、複数の共同管理者のいずれか１つ又は複数により実現されてもよい。
【００１４】
ＢＣＮ２は、ネットワークを介して接続された複数のマイニング端末３により構成される分散型ネットワークである。ＢＣＮ２は、ネットワークを介して、管理装置１を含む外部装置から入力されたデータをブロックチェーンとして記録する、いわゆる分散型台帳である。具体的には、ＢＣＮ２は、電力取引者Ｕと複数の電力取引者Ｄとの間で行われた電力取引に関する情報（以下「電力取引情報」という。）を管理する。なお、図１の例では、ＢＣＮ２は、プライベート型のＢＣＮであるが、コンソーシアム型のＢＣＮであってもよい。
【００１５】
マイニング端末３は、ＢＣＮ２にマイナーとして参加した電力取引者Ｄが所持するコンピュータである。マイニング端末３は、ＢＣＮ２のノードに相当し、所定時間毎にブロックを生成し、ブロックチェーンを更新及び記録する。マイニング端末３は、例えば、サーバコンピュータ、ＰＣ、スマートフォンであるが、これに限られない。図１の例では、ＢＣＮ２は、３者の電力取引者Ｄ１〜Ｄ３により所持された３つのマイニング端末３ａ〜３ｃにより構成されているが、ＢＣＮ２にマイナーとして参加する電力取引者Ｄ及びＢＣＮ２を構成するマイニング端末３の数は、これに限られない。以下では、コンセンサスアルゴリズムが、ＰｏＷ（Proof of Work）である場合を例に説明するが、コンセンサスアルゴリズムは、ＰｏＳ（Proof of Stake）やＰｏＩ（Proof of Importance）などの他のアルゴリズムであってもよい。
【００１６】
マイニング端末３が生成するブロックは、直前のブロックのハッシュ値（ダイジェスト）と、タイムスタンプと、記録対象となる複数の電力取引情報（トランザクション）と、ナンスと、を含む。マイニング端末３は、所定時間毎に、所定の条件を満たすナンスを探索（マイニング）することにより、ブロックを生成する。あるマイニング端末３により生成されたブロックは、他のマイニング端末３により承認されると、既存のブロックチェーンに連結される。こうして更新されたブロックチェーンは、ＢＣＮ２の各ノードにより共有される。
【００１７】
最初にブロックを生成したマイニング端末３には、マイニング報酬が付与される。マイニング報酬は、例えば、仮想通貨や管理者が発行したトークン(既存ブロックチェーン技術により生成された仮想通貨)であるが、これに限られない。マイニング報酬は、マイニング端末３がブロックを生成する際に当該ブロックに書き込んだものが承認されることにより付与されてもよいし、後述する報酬付与部１７により付与されてもよい。
【００１８】
次に、管理装置１のハードウェア構成について説明する。図２は、管理装置１のハードウェア構成の一例を示す図である。図２の管理装置１は、ＣＰＵ（Central Processing Unit）１０１と、ＲＯＭ（Read Only Memory）１０２と、ＲＡＭ（Random Access Memory）１０３と、ＨＤＤ（Hard Disk Drive）１０４と、入力装置１０５と、表示装置１０６と、通信インタフェース１０７と、バス１０８と、を備える。
【００１９】
ＣＰＵ１０１は、プログラムを実行することにより、管理装置１の各構成を制御し、管理装置１の機能を実現する。ＣＰＵ１０１が実行するプログラムは、ＣＤ（Compact Disk）、ＤＶＤ、フラッシュメモリなどの、コンピュータ読み取り可能な任意の記録媒体に記録され得る。
【００２０】
ＲＯＭ１０２は、ＣＰＵ１０１が実行するプログラムや各種のデータを記憶する。
【００２１】
ＲＡＭ１０３は、ＣＰＵ１０１に作業領域を提供する。
【００２２】
ＨＤＤ１０４は、ＣＰＵ１０１が実行するプログラムや、ブロックチェーンを含む各種のデータを記憶する。管理装置１は、ＨＤＤ１０４の代わりに、又はＨＤＤ１０４と共に、ＳＳＤ（Solid State Drive）を備えてもよい。
【００２３】
入力装置１０５は、ユーザの操作に応じた情報を管理装置１に入力する。入力装置１０５には、タッチパネル、キーボード、マウス、ハードウェアボタンなどが含まれる。
【００２４】
表示装置１０６は、ユーザの操作に応じた画面を表示する。表示装置１０６は、液晶ディスプレイ及び有機ＥＬ（Electro Luminescence）ディスプレイを含む。管理装置１は、タッチパネルと表示装置１０６が一体化された操作パネルを備えてもよい。
【００２５】
通信インタフェース１０７は、管理装置１をインターネットやＬＡＮ（Local Area Network）などのネットワークに接続し、ネットワーク上のマイニング端末３を含む外部装置との通信を制御する。管理装置１は、通信インタフェース１０７を介して、マイニング端末３と通信する。
【００２６】
バス１０８は、ＣＰＵ１０１、ＲＯＭ１０２、ＲＡＭ１０３、ＨＤＤ１０４、入力装置１０５、表示装置１０６、及び通信インタフェース１０７を相互に接続する。
【００２７】
なお、管理装置１のハードウェア構成は図２の例に限られない。また、マイニング端末３のハードウェア構成は、ＣＰＵの代わりにＧＰＵ（Graphical Processing Unit）を備える点を除き、管理装置１と同様であるため説明を省略する。
【００２８】
次に、管理装置１の機能構成について説明する。図３は、管理装置１の機能構成の一例を示す図である。図３の管理装置１は、電力取引部１１と、マイナー情報取得部１２と、マイナー情報記憶部１３と、ブロックチェーン取得部１４と、ブロックチェーン記憶部１５と、報酬算出部１６と、報酬付与部１７と、を備える。これらの各機能構成は、ＣＰＵ１０１がプログラムを実行することにより実現される。また、マイナー情報記憶部１３は、ＲＯＭ１０２、ＲＡＭ１０３、及びＨＤＤ１０４などの記録媒体上に設けられる。
【００２９】
電力取引部１１は、電力取引者Ｕと電力取引者Ｄとの間の電力取引を実行し、実行した電力取引に関する電力取引情報をＢＣＮ２に送信する。電力取引部１１が送信した電力取引情報は、マイニング端末３によりブロックチェーンとして記録される。また、電力取引がピアツーピア取引である場合には、電力取引部１１は、電力取引者Ｄ同士が実行した電力取引に関する電力取引情報を電力取引者Ｄから取得し、ＢＣＮ２に送信すればよい。電力取引部１１がＢＣＮ２に送信した電力取引情報は、マイニング端末３によりブロックチェーンとして記録される。
【００３０】
具体的には、電力取引部１１は、電力取引者Ｕが電力取引者Ｄから購入した電力量（買電量）に応じた代金の支払いや、電力取引者Ｕが電力取引者に販売した電力量（売電量）に応じた代金の受け取りなどを行う。売買代金の支払い及び受け取りは、電子決済により行われてもよいし、マイニング端末３との間で、ＢＣＮ２で発行された仮想通貨、トークン、又は電力使用権（無料で使用できる電力量）をやり取りすることにより行われてもよい。電力の売買に関する電力取引情報には、電力取引者Ｄの売買電力量（売電量及び買電量）が含まれる。以下、単に買電量といった場合、電力取引者Ｕが電力取引者Ｄから購入した電力量、すなわち、電力取引者Ｄが電力取引者Ｕに販売した電力量のことをいう。また、単に売電量といった場合、電力取引者Ｕが電力取引者Ｄに販売した電力量、すなわち、電力取引者Ｄが電力取引者Ｕから購入した電力量のことをいう。
【００３１】
また、電力取引部１１は、電力取引者Ｄに対するデマンドレスポンス（以下「ＤＲ」という。）を実行する。ＤＲは、電力取引者Ｄに対して電力の需給調整を要求し、電力取引者Ｄが当該要求に応じて需給調整を行うことにより、ピーク電力の低減などを実現する仕組みである。電力取引部１１は、電力取引者Ｄに需給調整を要求し、当該要求に対する電力取引者の応答、すなわち、需給調整量を取得する。
【００３２】
より詳細には、電力取引部１１は、電力取引者Ｄにネガワット（消費電力の減少）を要求し、当該要求に応じた消費電力の減少量（需給調整量）を電力取引者Ｄから取得する。消費電力の減少量は、電力取引者Ｄの電力設備の消費電力の減少量と、電力取引者Ｄのマイニング端末３の消費電力の減少量と、を含む。電力取引部１１は、マイナー情報に基づいて、マイニング端末３の消費電力の減少量を算出してもよい。
【００３３】
また、電力取引部１１は、電力取引者Ｄにポジワット（発電量の増加）を要求し、当該要求に応じた発電量の増加量（需給調整量）を電力取引者Ｄから取得する。
【００３４】
マイナー情報取得部１２は、ＢＣＮ２を構成する各マイニング端末３に関する情報（以下「マイナー情報」という。）を取得する。マイナー情報は、マイニング端末３の識別情報（以下「マイナーＩＤ」という。）と、マイニング端末３のアドレスと、マイニング端末３の計算機能力Ｃａｌｃと、マイニング端末３の稼働時間Ｔｉｍｅと、を含む。アドレスは、マイニング端末３に報酬を付与するための番号である。アドレスは、ＩＰアドレスやウォレット番号であるが、これに限られない。
【００３５】
マイナー情報取得部１２は、所定時間毎にマイナー情報を取得してもよいし、所定のタイミングでマイナー情報を取得してもよい。所定のタイミングとして、ブロックチェーンが更新されたタイミング、新たなマイニング端末３の参加を許可したタイミング、新たな電力取引が実行されたタイミングなどが挙げられる。また、マイナー情報取得部１２は、各マイニング端末３からマイナー情報を取得してもよいし、ブロックチェーンを参照してマイナー情報を取得してもよいし、マイナー情報を記録する外部サイトから取得してもよい。マイナー情報の取得方法及び取得タイミングは任意である。
【００３６】
例えば、マイナー情報取得部１２は、新たなマイニング端末３がＢＣＮ２への参加したタイミングで、当該マイニング端末３から、マイナーＩＤ、アドレス、及び計算機能力Ｃａｌｃを取得する。また、マイナー情報取得部１２は、所定時間毎にマイニング端末３に要求することにより、当該マイニング端末３の計算機能力Ｃａｌｃ及び稼働時間Ｔｉｍｅを取得してもよい。なお、稼働時間Ｔｉｍｅを取得するのは、マイニング端末３が、複数のＢＣＮのマイナーとして稼働することが有り得るためである。
【００３７】
マイナー情報記憶部１３は、マイナー情報取得部１２が取得した各マイニング端末３のマイナー情報を記憶する。ここで、図４は、マイナー情報記憶部１３に記憶されたマイナー情報の一例を示す図である。図４の各レコードが、各マイニング端末３のマイナー情報に相当する。図４のマイナー情報には、マイナーＩＤ、アドレス、計算機能力Ｃａｌｃ、及び稼働時間Ｔｉｍｅが含まれる。例えば、マイナーＩＤがＭ００１であるマイニング端末３のアドレスはＡであり、計算機能力Ｃａｌｃは２０００であり、稼働時間Ｔｉｍｅは６０である。計算機能力Ｃａｌｃ及び稼働時間Ｔｉｍｅの単位は任意に設定可能である。なお、マイナー情報は、図４の例に限られない。
【００３８】
ブロックチェーン取得部１４は、ＢＣＮ２が管理している最新のブロックチェーンを取得（受信）する。ブロックチェーン取得部１４は、ネットワーク上で隣接しているマイニング端末３からブロックチェーンを取得すればよい。
【００３９】
ブロックチェーン記憶部１５は、ブロックチェーン取得部１４が取得したブロックチェーンを記憶する。
【００４０】
報酬算出部１６は、ブロックチェーンに記憶された電力取引者Ｄの電力取引情報に基づいて、当該電力取引者Ｄに付与する報酬Ｉを算出する。報酬Ｉは、例えば、仮想通貨、トークン、又は電力使用権であるが、これに限られない。
【００４１】
報酬算出部１６は、電力取引者Ｄの売買電力量に基づいて、当該電力取引者Ｄに付与する報酬Ｉを算出することができる。この場合、報酬算出部１６は、売買電力量が多いほど大きくなるように報酬Ｉを算出するのが好ましい。これにより、電力取引者Ｕとの電力取引が多い電力取引者Ｄほど、大きな報酬Ｉを付与されることになるため、電力取引者Ｕと電力取引者Ｄとの間の電力取引の売買を促進できる。報酬Ｉは、例えば、以下の式で算出される。
【００４２】
Ｉ＝ｋ１×Ｅ１＋ｋ２×Ｅ２・・・（１）
【００４３】
式（１）におけるｋ１，ｋ２は予め設定された係数（重み）であり、Ｅ１は買電量、Ｅ２は売電量である。式（１）において、係数ｋ１は、係数ｋ２より大きく設定されるのが好ましい（ｋ１＞ｋ２）。これは、電力取引者Ｕにとって、需要者よりプロシューマや発電事業者の方が貴重なためである。係数ｋ１を係数ｋ２より大きく設定することにより、プロシューマや発電事業者が優遇される（大きな報酬Ｉを得やすくなる）ため、プロシューマや発電事業者からの買電（プロシューマや発電事業者による売電）を促進することができる。
【００４４】
また、報酬算出部１６は、係数ｋ１，ｋ２を、電力取引者Ｄの全体に対するプロシューマ、需要者、及び発電事業者の比率に基づいて変化させてもよい。報酬算出部１６は、需要者の比率が大きい（需要者やプロシューマの比率が小さい）ほど、係数ｋ２に対して係数ｋ１を大きくするのが好ましい。これにより、プロシューマや発電事業者が優遇される（大きな報酬Ｉを得やすくなる）ため、プロシューマや発電事業者からの買電（プロシューマや発電事業者による売電）を促進することができる。
【００４５】
また、報酬算出部１６は、係数ｋ１，ｋ２を、電力取引者Ｄの売買電力量における買電量Ｅ１及び売電量Ｅ２の比率に基づいて変化させてもよい。報酬算出部１６は、売買電力量における買電量Ｅ１の比率が大きい（売電量Ｅ２の比率が小さい）ほど、係数ｋ２に対して係数ｋ１を大きくするのが好ましい。これにより、売買電力量における買電量Ｅ１の比率が大きい電力取引者Ｄほど優遇される（大きな報酬Ｉを得やすくなる）ため、電力取引者Ｄからの買電（電力取引者Ｄによる売電）を促進することができる。
【００４６】
また、報酬算出部１６は、電力取引者Ｄの需給調整量に基づいて、当該電力取引者Ｄに付与する報酬Ｉを算出してもよい。この場合、報酬算出部１６は、需給調整量が多いほど大きくなるように報酬Ｉを算出するのが好ましい。これにより、ＤＲに対する需給調整量が多い電力取引者Ｄほど、大きな報酬Ｉを付与されることになるため、管理装置１からのＤＲに対する電力取引者Ｄの需給調整を促進できる。報酬Ｉは、例えば、以下の式で算出される。
【００４７】
Ｉ＝ｋ３×ＤＲｎ＋ｋ４×ＤＲｐ・・・（２）
【００４８】
式（２）におけるｋ３，ｋ４は予め設定された係数（重み）であり、ＤＲｎはネガワットの要求に対する消費電力の減少量であり、ＤＲｐはポジワットの要求に対する発電量の増加量である。
【００４９】
また、報酬算出部１６は、電力取引者Ｄのマイニング端末３のマイナー情報に基づいて、報酬Ｉを算出してもよい。この場合、報酬算出部１６は、計算機能力Ｃａｌｃが大きいほど大きくなるように報酬Ｉを算出するのが好ましい。また、報酬算出部１６は、稼働時間Ｔｉｍｅが長いほど大きくなるように報酬Ｉを算出するのが好ましい。これにより、ＢＣＮ２に対する貢献度が高いマイニング端末３を所持する電力取引者Ｄほど、大きな報酬Ｉが付与されることになるため、ＢＣＮ２に対する電力取引者Ｄの参加意欲を高めることができる。
【００５０】
また、報酬算出部１６は、マイニング端末３の消費電力が小さいほど大きくなるように報酬Ｉを算出するのが好ましい。これにより、消費電力が小さいマイニング端末３を所持する電力取引者Ｄほど、大きな報酬Ｉが付与されることになるため、マイニング端末３の低消費電力化を促進することができる。報酬Ｉは、例えば、以下の式で算出される。
【００５１】
Ｉ＝ｋ５×Ｃａｌｃ×Ｔｉｍｅ／ＥＨ・・・（３）
【００５２】
式（３）におけるｋ５は予め設定された係数（重み）であり、ＥＨはマイニング端末３の消費電力である。
【００５３】
なお、報酬Ｉの算出方法は、上記の算出方法（１）〜（３）に限られない。報酬Ｉは、電力取引情報に基づく任意の方法で算出できる。報酬算出部１６は、所定時間毎に報酬Ｉを算出してもよいし、所定のタイミングで報酬Ｉを算出してもよい。所定のタイミングとして、ブロックチェーンが更新されたタイミング、新たなマイニング端末３のＢＣＮ２への参加を許可したタイミング、新たな電力取引が実行されたタイミングなどが挙げられる。
【００５４】
報酬付与部１７は、報酬算出部１６が算出した報酬Ｉを電力取引者Ｄに付与する。報酬付与部１７は、電力取引者Ｄのマイニング端末３のウォレットに仮想通貨又はトークン（報酬Ｉ）を付与してもよいし、電力取引者Ｄに電力使用権（報酬Ｉ）を付与してもよい。また、報酬付与部１７は、所定時間毎に電力取引者Ｄに報酬Ｉを付与してもよいし、所定のタイミングで電力取引者Ｄに報酬Ｉを付与してもよい。所定のタイミングとして、ブロックチェーンが更新されたタイミング、新たなマイニング端末３のＢＣＮ２への参加を許可したタイミング、新たな電力取引が実行されたタイミングなどが挙げられる。
【００５５】
次に、本実施形態に係る管理装置１の動作について説明する。図５は、管理装置１の動作の一例を示すフローチャートである。
【００５６】
マイナー情報取得部１２は、マイナー情報の取得タイミングが到来すると、ＢＣＮ２を構成している各マイニング端末３のマイナー情報を取得する（ステップＳ１０１）。マイナー情報取得部１２は、一度に全てのマイニング端末３のマイナー情報を取得してもよいし、一部のマイニング端末３のマイナー情報を取得してもよい。マイナー情報取得部１２は、マイナー情報を取得すると、取得したマイナー情報をマイナー情報記憶部１３に保存する。マイナー情報記憶部１３は、保存されたマイナー情報を記憶する。これにより、マイナー情報記憶部１３に記憶されたマイナー情報が更新される。
【００５７】
一方、電力取引部１１は、電力取引者Ｕ又は電力取引者Ｄから電力取引の実行を要求されると、電力取引者Ｕと電力取引者Ｄとの間の電力取引を実行する（ステップＳ１０２）。電力取引部１１は、電力取引を実行すると、当該電力取引に関する電力取引情報をＢＣＮ２に送信する（ステップＳ１０３）。ＢＣＮ２（マイニング端末３）は、電力取引部１１から電力取引情報を受信すると、当該電力取引情報を含むブロックを生成し、当該ブロックを既存のブロックチェーンに連結し、ブロックチェーンを更新する。
【００５８】
ブロックチェーン取得部１４は、ＢＣＮ２（マイニング端末３）から更新されたブロックチェーンを取得する（ステップＳ１０４）。このブロックチェーンには、ステップＳ１０２で実行された電力取引に関する電力取引情報が記録されている。ブロックチェーン取得部１４は、取得したブロックチェーンをブロックチェーン記憶部１５に保存する。ブロックチェーン記憶部１５は、保存されたブロックチェーンを記憶する。
【００５９】
報酬算出部１６は、報酬Ｉの算出タイミングが到来すると、マイナー情報記憶部１３からマイナー情報を読み出し、ブロックチェーン記憶部１５から最新のブロックチェーンを読み出す。そして、報酬算出部１６は、マイナー情報と、ブロックチェーンに含まれる電力取引情報と、に基づいて、ＢＣＮ２にマイナーとして参加する各電力取引者Ｄに付与する報酬Ｉを算出する（ステップＳ１０５）。報酬Ｉの算出方法は上述の通りである。
【００６０】
その後、報酬付与部１７は、報酬Ｉの付与タイミングが到来すると、報酬算出部１６が算出した報酬Ｉを各電力取引者Ｄに付与する（ステップＳ１０６）。報酬Ｉの付与方法は上述の通りである。
【００６１】
管理装置１は、以上の動作により、各電力取引者Ｄに、電力取引に応じた報酬Ｉを付与する。図５の動作は、所定時間毎に行われてもよいし、所定のタイミングで行われてもよい。また、電力取引部１１、マイナー情報取得部１２、報酬算出部１６、及び報酬付与部１７による動作は、図５の例のように、同時に実行されてもよいし、それぞれ異なるタイミングに独立して実行されてもよい。
【００６２】
以上説明した通り、本実施形態によれば、管理装置１は、電力取引者Ｄに、その電力取引に応じた報酬Ｉを付与することができる。これにより、マイニング端末３の計算機能力Ｃａｌｃが低く、マイニング報酬を得るのが難しい電力取引者Ｄであっても、報酬Ｉを得ることができる。このように、計算機能力Ｃａｌｃが低いマイニング端末３を所持する電力取引者Ｄに対しても報酬Ｉを付与可能とすることにより、ＢＣＮ２に対する電力取引者Ｄのマイナーとしての参加意欲を高め、ＢＣＮ２からのマイナーの離脱を抑制することができる。結果として、許可型のＢＣＮ２の安全性を高めることができる。
【００６３】
なお、上記実施形態に挙げた構成等に、その他の要素との組み合わせなど、ここで示した構成に本発明が限定されるものではない。これらの点に関しては、本発明の趣旨を逸脱しない範囲で変更可能であり、その応用形態に応じて適切に定めることができる。
【符号の説明】
【００６４】
１：電力取引管理装置
２：ＢＣＮ
３，３ａ〜３ｃ：マイニング端末
１１：電力取引部
１２：マイナー情報取得部
１３：マイナー情報記憶部
１４：ブロックチェーン取得部
１５：ブロックチェーン記憶部
１６：報酬算出部
１７：報酬付与部
１００：電力取引管理システム
【図１】
2019185412.tif 000003
【図２】
2019185412.tif 000004
【図３】
2019185412.tif 000005
【図４】
2019185412.tif 000006
【図５】
2019185412.tif 000007